(57)【要約】【課題】スピニングリールのベールレス型の釣り糸案内部品及びロータにおいて、釣り糸をスムーズに案内できるようにする。【解決手段】第１釣り糸案内機構７６は、第１ロータアーム３１の先端にのみ揺動自在に装着された支持部材７０と、支持部材７０に固定された固定軸７３と、固定軸７３に回動自在に支持され釣り糸を案内するローラが形成されたラインローラ７１と、釣り糸をラインローラ７１に導く固定軸カバー７４とを有している。固定軸カバー７４は、ラインローラ７１取付側と逆側の端面が径方向外方に全周にわたって環状に突出した大径部７４ｂと、大径部７４ｂの先端が略球形状に突出して完結するように形成された突出部７４ａと、大径部７４ｂの基端から固定軸７３に装着されたラインローラ７１に向かって滑らかに縮径するように形成された傾斜部７４ｃとを有している。【選択図】図５
2009148203.tif 000002
【特許請求の範囲】
【請求項１】
第１ロータアームの先端にのみ糸案内姿勢と糸開放姿勢とに揺動自在に装着された支持部材と、前記支持部材に一端が固定された固定軸と、前記固定軸に回動自在に支持され周面に釣り糸を案内するローラが形成されたラインローラとを有し、前記釣り糸をスプールに案内する釣り糸案内機構に含まれるスピニングリールの釣り糸案内部品であって、
前記固定軸の他端に前記支持部材と間隔を隔てて設けられ、前記ラインローラ取付側と逆側の端面が径方向外方に突出した大径部と、前記大径部の先端が略球形状に突出して完結するように形成された突出部とを有し、前記釣り糸を前記ラインローラに導く固定軸カバーを備えたスピニングリールの釣り糸案内部品。
【請求項２】
前記固定軸カバーは、前記固定軸と一体成形されている、請求項１に記載のスピニングリールの釣り糸案内部品。
【請求項３】
前記固定軸カバーは、前記固定軸と別体で設けられている、請求項１に記載のスピニングリールの釣り糸案内部品。
【請求項４】
前記固定軸カバーは、前記大径部の基端から前記ラインローラに向かって滑らかに縮径するように形成されている、請求項１から３のいずれか１項に記載のスピニングリールの釣り糸案内部品。。
【請求項５】
前記大径部は、径方向外方に全周にわたって環状に突出するように形成されている、請求項１から４のいずれか１項に記載のスピニングリールの釣り糸案内部品。
【請求項６】
スピニングリールのリール本体に回転自在に装着され、釣り糸をスプールに巻き付けるスピニングリールのロータであって、
前記リール本体の一端に回転自在に装着される支持部と、
前記支持部の前記リール本体側端部の径方向に対向する位置から前記リール本体から離れる方向に延びる第１ロータアーム及び第２ロータアームと、
前記第１ロータアームの先端にのみ糸案内姿勢と糸開放姿勢とに揺動自在に装着された支持部材と、前記支持部材に一端が固定された固定軸と、前記固定軸に回動自在に支持され周面に釣り糸を案内するローラが形成されたラインローラと、前記固定軸の他端に前記支持部材と間隔を隔てて設けられ前記ラインローラ取付側と逆側の端面が径方向外方に突出した大径部と前記大径部の先端が略球形状に突出して完結するように形成された突出部とを有し前記釣り糸を前記ラインローラに導く固定軸カバーとを有し、前記釣り糸をスプールに案内する釣り糸案内機構と、
を備えたスピニングリールのロータ。
【請求項７】
前記第２ロータアームの先端部に着脱自在に装着される第１バランス部材をさらに備えている、請求項６に記載のスピニングリールのロータ。
【請求項８】
前記支持部は、先端側に突出した筒状部を有しており、
前記筒状部の先端内周部に着脱自在に装着される第２バランス部材をさらに備えている、請求項６又は７に記載のスピニングリールのロータ。
【発明の詳細な説明】
【技術分野】
【０００１】
本発明は、釣り糸案内部品、特に、釣り糸をスプールに案内する釣り糸案内機構に含まれるスピニングリールの釣り糸案内部品に関する。さらに、本発明は、ロータ、特に、スピニングリールのリール本体に回転自在に装着され、釣り糸をスプールに巻き付けるスピニングリールのロータに関する。
【背景技術】
【０００２】
スピニングリールのロータとして、一方のロータアームにのみ釣り糸案内機構を有する、いわゆるベールレス型のロータが知られている（たとえば、特許文献１参照）。従来のベールレス型のスピニングリールのロータは、第１ロータアーム及び第２ロータアームと、第１ロータアームの先端に糸巻取姿勢と糸開放姿勢とに揺動自在に装着された釣り糸案内機構とを有している。釣り糸案内機構は、第１ロータアームの糸開放姿勢と糸巻取姿勢とに揺動自在に装着された支持部材と、固定軸と、ラインローラと、固定軸カバーとを備えている。固定軸は、支持部材の先端に基端が装着されたものである。ラインローラは、固定軸に回転自在に装着され釣り糸を案内可能なものである。固定軸カバーは、先端に向けて先細りに形成されており、先端部が所定の方向に向くように、固定軸の軸芯と同方向に略円錐形状に延びている。
【０００３】
このような構成のベールレス型のロータを有するスピニングリールでは、キャスティング時には、釣り糸案内機構を糸開放姿勢に揺動させ、キャスティング後に釣り糸案内機構を釣竿を持つ手と逆の手の指でつまんで糸巻取姿勢側に戻した後、釣り糸をつまんでラインローラに引っ掛ける動作を行う。
【特許文献１】特開２００４−２３６５６４号公報
【発明の開示】
【発明が解決しようとする課題】
【０００４】
前記従来のベールレス型のロータを有するスピニングリールでは、固定軸カバーは、先端部が所定の方向に向くように形成されている。しかし、たとえばベールを有する別のスピニングリールからベールや固定軸カバーを取り外し、従来のベールレス型の固定軸カバーをそのまま付け替えようとする場合には、固定軸カバーは従来のベールレス型のスピニングリール専用に設計されているために、取り付けた固定軸カバーの先端部が釣り人の巻き取り操作に邪魔になる方向や、あるいは固定軸カバーから糸落ちしてしまう方向に向いて釣り糸のスムーズな案内を損なうおそれが生じる。
【０００５】
本発明の課題は、スピニングリールのベールレス型の釣り糸案内部品及びロータにおいて、ベールレス型の固定軸カバーを別のスピニングリールに取り付けた場合でも、釣り糸をスムーズに案内できるようにすることにある。
【課題を解決するための手段】
【０００６】
発明１に係るスピニングリールの釣り糸案内部品は、第１ロータアームの先端にのみ糸案内姿勢と糸開放姿勢とに揺動自在に装着された支持部材と、支持部材に一端が固定された固定軸と、固定軸に回動自在に支持され周面に釣り糸を案内するローラが形成されたラインローラとを有し、釣り糸をスプールに案内する釣り糸案内機構に含まれるスピニングリールの釣り糸案内部品であって、釣り糸をラインローラに導く固定軸カバーを備えている。固定軸カバーは、固定軸の他端に支持部材と間隔を隔てて設けられ、ラインローラ取付側と逆側の端面が径方向外方に突出した大径部と、大径部の先端が略球形状に突出して完結するように形成された突出部とを有している。
【０００７】
このスピニングリールは、第１ロータアームの先端にのみ支持部材が設けられたいわゆるベールレス型のものである。このスピニングリールの釣り糸案内部品では、固定軸カバーは略球形状に形成された滑らかな突出部を有している。このため、ベールを有する別のスピニングリールからベールや固定軸カバーを取り外し、ベールレス型の固定軸カバーをそのまま付け替えようとする場合でも、別のスピニングリールに取り付けた固定軸カバーの先端部が略球形状に形成された滑らかな突出部となっているので、釣り糸の巻き取りを阻害する方向や、あるいは固定軸カバーから糸落ちしてしまう方向に向くことがなくなる。したがって、ベールレス型の固定軸カバーを別のスピニングリールに取り付けた場合でも、釣り糸をスムーズに案内できる。
【０００８】
さらに、ここでは、固定軸カバーは、ラインローラ取付側と逆側の端面が径方向外方に突出した大径部を有しているので、ラインローラに案内された釣り糸が固定軸カバー側に移動しても、移動した釣り糸が径方向外方に突出した大径部によって移動が規制されるので、固定軸カバーからの糸落ちをさらに防止することができる。
【０００９】
発明２に係る釣り糸案内部品は、発明１の釣り糸案内部品において、固定軸カバーは、固定軸と一体成形されている。この場合、固定軸カバーと固定軸とを一体成形することにより、全体の部品点数を削減できる。
【００１０】
発明３に係る釣り糸案内部品は、発明１の釣り糸案内部品において、固定軸カバーは、固定軸と別体で設けられている。この場合、固定軸カバーと固定軸とを異なる材質の部材で形成できるとともに、固定軸カバー及び固定軸の加工が容易になる。
【００１１】
発明４に係る釣り糸案内部品は、発明１から３のいずれかの釣り糸案内部品において、固定軸カバーは、大径部の基端からラインローラに向かって滑らかに縮径するように形成されている。この場合、大径部の基端からラインローラに向かってテーパ状に滑らかに縮径しているので、釣り糸をラインローラにスムーズに案内できる。
【００１２】
発明５に係る釣り糸案内部品は、発明１から４のいずれかの釣り糸案内部品において、大径部は、径方向外方に全周にわたって環状に突出するように形成されている。この場合、大径部は径方向外方に全周にわたって環状に突出しているので、釣り糸が固定軸カバーから糸落ちするのを確実に防止できる。
【００１３】
発明６に係るスピニングリールのロータは、スピニングリールのリール本体に回転自在に装着され、釣り糸をスプールに巻き付けるスピニングリールのロータであって、リール本体の一端に回転自在に装着される支持部と、支持部のリール本体側端部の径方向に対向する位置からリール本体から離れる方向に延びる第１ロータアーム及び第２ロータアームと、釣り糸をスプールに案内する釣り糸案内機構とを備えている。釣り糸案内機構は、第１ロータアームの先端にのみ糸案内姿勢と糸開放姿勢とに揺動自在に装着された支持部材と、支持部材に一端が固定された固定軸と、固定軸に回動自在に支持され周面に釣り糸を案内するローラが形成されたラインローラと、固定軸の他端に支持部材と間隔を隔てて設けられラインローラ取付側と逆側の端面が径方向外方に突出した大径部と大径部の先端が略球形状に突出して完結するように形成された突出部とを有し釣り糸をラインローラに導く固定軸カバーとを有している。
【００１４】
このスピニングリールのロータは、第１ロータアームの先端にのみ支持部材が設けられたいわゆるベールレス型のロータである。このスピニングリールのロータでは、釣り糸案内機構の固定軸カバーは、ラインローラ取付側と逆側の端面が径方向外方に突出した大径部を有しているので、ラインローラに案内された釣り糸が固定軸カバー側に移動しても、移動した釣り糸が径方向外方に突出した大径部によって移動が規制されるので、釣り糸が固定軸カバーから外方に離反する糸落ちを防止することができる。
この場合、略球形状に形成された滑らかな突出部を介して、釣り糸を大径部に容易に引っ掛けることができる。
【００１５】
このスピニングリールのロータは、第１ロータアームの先端にのみ支持部材が設けられたいわゆるベールレス型のロータである。このスピニングリールのロータでは、固定軸カバーは略球形状に形成された滑らかな突出部を有している。このため、ベールを有する別のスピニングリールからベールや固定軸カバーを取り外し、ベールレス型の固定軸カバーをそのまま付け替えようとする場合でも、別のスピニングリールに取り付けた固定軸カバーの先端部が略球形状に形成された滑らかな突出部となっているので、釣り糸の巻き取りを阻害する方向や、あるいは固定軸カバーから糸落ちしてしまう方向に向くことがなくなる。したがって、ベールレス型の固定軸カバーを別のスピニングリールに取り付けた場合でも、釣り糸をスムーズに案内できる。
【００１６】
さらに、このロータでは、固定軸カバーは、ラインローラ取付側と逆側の端面が径方向外方に突出した大径部を有しているので、ラインローラに案内された釣り糸が固定軸カバー側に移動しても、移動した釣り糸が径方向外方に突出した大径部によって移動が規制されるので、固定軸カバーからの糸落ちをさらに防止することができる。
【００１７】
発明７に係るロータは、発明６のロータにおいて、第２ロータアームの先端部に着脱自在に装着される第１バランス部材をさらに備えている。この場合、釣り糸案内機構を含む第１ロータアーム側の重量より軽くなりやすい第２ロータアーム側に第１バランス部材が設けられているので、回転バランスを高く維持できる。
【００１８】
発明８に係るロータは、発明６又は７のロータにおいて、支持部は、先端側に突出した筒状部を有している。筒状部の先端内周部に着脱自在に装着される第２バランス部材をさらに備えている。この場合、たとえば第２ロータアームに近接した側の筒状部の先端内周部に沿って板状の第２バランス部材を設けることにより、リール全体の大型化を防止しながら、釣り糸案内機構を含む第１ロータアーム側の重量より軽くなりやすい第２ロータアーム側に第２バランス部材を設けることで、回転バランスを高く維持できる。
【発明の効果】
【００１９】
本発明によれば、スピニングリールのベールレス型の釣り糸案内部品及びロータにおいて、固定軸カバーは、ラインローラ取付側と逆側の端面が径方向外方に突出した大径部と、大径部の先端が略球形状に突出して完結するように形成された突出部とを有しているので、ベールレス型の固定軸カバーを別のスピニングリールに取り付けた場合でも、釣り糸をスムーズに案内できる。
【発明を実施するための最良の形態】
【００２０】
本発明の一実施形態が採用されたスピニングリールは、図１及び図２に示すように、釣り糸を前方に繰り出すリールであって、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２１】
リール本体２は、リールボディ２ａと、リールボディ２ａから斜め上前方に延びる竿取付脚２ｂとを有している。リールボディ２ａは、図２に示すように内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａの前部には、前方に突出する筒状部２ｃが設けられている。
【００２２】
ロータ３は、図２に示すように、円筒部３０（本願発明の支持部の一例）と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２３】
円筒部３０の前部には、図２に示すように、前壁３３が形成されており、前壁３３の中央部にはボス部３３ａが形成されている。ボス部３３ａの中心部には面取り部１２ｂに回転不能に係止される小判形状の貫通孔３３ｂが形成されており、この貫通孔３３ｂをピニオンギアの前部１２ａ及びスプール軸１５が貫通している。前壁３３の前部にナット１３が配置されており、ナット１３の内部には、スプール軸１５を回転自在に支持する軸受３５が配置されている。
【００２４】
円筒部３０の内側において、リールボディ２ａの筒状部２ｃの内部にはロータ３の逆転を常時禁止するための逆転防止機構５０が配置されている。逆転防止機構５０は、内輪が遊転するローラ型のワンウェイクラッチ５１を有している。
【００２５】
第１ロータアーム３１は、図１から図３に示すように、円筒部３０から外方に凸に湾曲して前方に延びており、円筒部３０との接続部は円筒部３０の周方向に広がり湾曲している。第１ロータアーム３１の先端の外周側には、後述するベールレス型の第１釣り糸案内機構７６（本願発明の釣り糸案内機構の一例）を構成する支持部材７０が揺動自在に装着されている。支持部材７０の先端には、釣り糸をスプール４に案内するためのラインローラ７１が装着されている。ラインローラ７１は、固定軸７３（図３参照）に回転自在に装着され、固定軸７３と一体成形された固定軸カバー７４を介して釣り糸を案内するためのものである。これらの支持部材７０、ラインローラ７１、固定軸７３及び固定軸カバー７４により釣り糸をスプール４に案内する第１釣り糸案内機構７６が構成される。
【００２６】
第２ロータアーム３２は、図１及び図２に示すように、円筒部３０から外方に凸に湾曲して前方に延びている。第２ロータアーム３２は、円筒部３０から外方に凸に湾曲して前方に延びており、円筒部３０との接続部は円筒部３０の周方向に広がり湾曲している。第２ロータアーム３２の先端外周側には、第１バランス部材７２が相対移動不能に装着されている。第１バランス部材７２は、先端部が丸められた棒状部材であって、第２ロータアーム３２の先端部に着脱自在に装着されており、図示しないボルト部材によって相対移動不能に固定されている。ここでは、第１釣り糸案内機構７６を含む第１ロータアーム３１側の重量より軽くなりやすい第２ロータアーム３２側に第１バランス部材７２が設けられているので、回転バランスを高く維持できる。
【００２７】
第１釣り糸案内機構７６は、図１及び図２に示す糸案内姿勢とそれから反転した糸開放姿勢との間で揺動自在である。
【００２８】
第１釣り糸案内機構７６は、図１から図３に示すように、第１ロータアーム３１の先端にのみ糸案内姿勢と糸開放姿勢とに揺動自在に装着された支持部材７０と、支持部材７０に一端が固定された固定軸７３（図３参照）と、固定軸７３に回動自在に支持され周面に釣り糸を案内するローラが形成されたラインローラ７１と、固定軸７３の他端に支持部材７０と間隔を隔てて設けられ釣り糸をラインローラ７１に導く固定軸カバー７４（本願発明の釣り糸案内部品の一例）とを有している。
【００２９】
支持部材７０は、図３から図５に示すように、たとえばクロムメッキにより形成された金属皮膜により外側面が覆われたアルミニウム合金製の部材である。このクロムメッキにより表面が硬質になり、釣り糸の接触による外側面の傷付きを防止できる。支持部材７０の外側面の先端側には、固定ボルト７７の頭部が収納される第１収納凹部７０ａ（図４参照）が形成されている。また、支持部材７０の基端側には、支持部材７０を第１ロータアーム３１に取り付けるための取付ボルト７９の頭部が収納される円形の第２収納凹部７０ｂ（図３及び図４参照）が形成されている。
【００３０】
固定軸７３は、図３及び図４に示すように、固定軸カバー７４と一体成形されている。固定軸７３は、固定軸カバー７４を支持部材７０に固定するとともに、ラインローラ７１を回転自在に支持するために設けられている。固定軸７３は、図３及び図４に示すように、固定軸カバー７４の基端部より小径に形成されラインローラ７１を支持する支持部７３ａと、支持部７３ａの先端に形成された係止部７３ｂとを有している。係止部７３ｂは、支持部材７０に形成された係止溝７０ｃ（図３及び図４参照）係合し、これらの係合により固定軸カバー７４及び固定軸７３と支持部材７０との回り止めがなされる。
【００３１】
固定軸カバー７４は、図３から図５に示すように、固定軸７３と一体成形され、固定軸７３の他端に支持部材７０と間隔を隔てて設けられ、ラインローラ７１取付側と逆側の端面が径方向外方に全周にわたって環状に突出した大径部７４ｂと、大径部７４ｂの先端が略球形状に突出して完結するように形成された突出部７４ａと、大径部７４ｂの基端から固定軸７３に装着されたラインローラ７１に向かって滑らかに縮径するように形成された傾斜部７４ｃとを有している。このような固定軸カバー７４では、釣り糸を略球形状の突出部７４ａから大径部７４ｂに引っ掛け、テーパ状の傾斜部７４ｃを介してラインローラ７１に釣り糸を案内するようになっている。
【００３２】
ラインローラ７１は、図３及び図４に示すように、軸方向に間隔を隔てて配置された２つの軸受７８ａ、７８ｂにより固定軸７３に回転自在に支持されている。ラインローラ７１は、軸方向の中心に形成された小径のガイド溝７１ａを挟んで第１筒部７１ｂと第２筒部７１ｃとが形成されている。第１筒部７１ｂは、固定軸カバー７４内に入り込んでおり、第２筒部７１ｃより小径である。第２筒部７１ｃは、支持部材７０の先端外周部と対向して配置されている。ラインローラ７１の内部には、軸受７８ａ、７８ｂを装着するための図示しないカラーやスペーサやワッシャが装着されている。
【００３３】
第１釣り糸案内機構７６の動作について説明する。
【００３４】
キャスティング時には、第１釣り糸案内機構７６を糸開放姿勢に反転させる。これにより支持部材７０が揺動する。この状態で釣竿を握る手の人差し指で釣り糸を引っ掛けながらキャスティングする。すると、釣り糸は仕掛けの重さにより勢いよく放出される。この状態でハンドル１を糸巻取方向に回転させると、ロータ駆動機構５によりロータ３が糸巻取方向に回転し、第１釣り糸案内機構７６が図示しないベール反転機構により糸巻取位置に復帰し、釣り糸を略球形状の突出部７４ａから大径部７４ｂに引っ掛け、テーパ状の傾斜部７４ｃを介してラインローラ７１に移動してスプール４に巻き付けられる。
【００３５】
スプール４は、図２に示すように、ロータ３の第１ロータアーム３１と第２ロータアーム３２との間に配置されている。スプール４は、前後方向に沿って配置されたスプール軸１５に着脱自在に装着可能なものである。
【００３６】
スプール４は、たとえばアルミニウム合金を鍛造成形して得られた大小２段の円筒状の部材である。スプール４は、外周面に釣り糸を巻き付け可能な筒状の糸巻胴部４ａと、糸巻胴部４ａの前後に設けられた大径の前後の前フランジ部４ｂ及び後フランジ部４ｃと、後フランジ部４ｃから後方に延びる筒状のスカート部４ｄとを有している。
【００３７】
ロータ駆動機構５は、図２に示すように、ハンドル１が連結されたハンドル軸１０とともに回転するフェースギア１１と、このフェースギア１１に噛み合うピニオンギア１２とを有している。ピニオンギア１２は前後方向に配置され筒状に形成されており、その前部１２ａはロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。ピニオンギア１２の前部１２ａには所定長さの平行な面取り部が形成されている。この面取り部は、ロータ３及びロータ３の糸繰り出し方向の回転を禁止するワンウェイクラッチ５１をピニオンギア１２に回転不能に連結するために形成されている。
【００３８】
オシレーティング機構６は、図２に示すように、トラバースカム方式の機構であり、スプール４の中心部に連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、リール本体２に回転不能かつ軸方向移動自在に支持されている。スライダ２２にはスプール軸１５の基端部が回転不能に固定されている。したがって、スプール軸１５もリール本体２に対して回転不能である。中間ギア２３は、図示しない減速機構を介してピニオンギア１２に噛み合っている。
【００３９】
また、ロータ３は、図１から図５に示すベールレス型の第１釣り糸案内機構７６と、図８に示すベール４５を有する別の第２釣り糸案内機構４６とが相互に交換可能である。
【００４０】
第２釣り糸案内機構４６は、図８に示すように、第１釣り糸案内機構７６に代えて、第１ロータアーム３１及び第２ロータアーム３２の先端にそれぞれ糸案内姿勢と糸開放姿勢とに揺動自在に装着された支持部材７０（第１ベール支持部材）及び第２ベール支持部材４２と、支持部材７０（第１ベール支持部材）に一端が固定された固定軸４３と、固定軸４３に回動自在に支持され周面に釣り糸を案内するローラが形成されたラインローラ７１と、固定軸４３の他端に支持部材７０（第１ベール支持部材）と間隔を隔てて設けられ釣り糸をラインローラ７１に導く固定軸カバー４４と、第２ベール支持部材４２と少なくとも固定軸４３及び固定軸カバー４４のいずれかとに両端が固定されスプール４の周方向外方に湾曲して配置され釣り糸をラインローラ７１に導くベール４５とを有している。
【００４１】
第２ベール支持部材４２は、第２ロータアーム３２の先端内周側に揺動自在に装着されている。ラインローラ７１と第２ベール支持部材４２との間には、線材を略Ｕ状に湾曲させた形状のベール４５が固定されている。固定軸４３は、固定軸カバー４４と一体成形されており、さらに、固定軸カバー４４は、略Ｕ状に湾曲させた形状のベール４５と、たとえば鍛造により一体形成されている。
【００４２】
このようなベール４５を有する第２釣り糸案内機構４６からベールレス型の第１釣り糸案内機構７６に交換する動作について説明する。
【００４３】
まず、第２釣り糸案内機構４６のうち支持部材７０を残した状態で、第２ベール支持部材４２、ラインローラ７１、固定軸４３、固定軸カバー４４及びベール４５を取り外す。そして、第２釣り糸案内機構４６の固定軸４３、固定軸カバー４４及びベール４５に代えて、第１釣り糸案内機構７６の固定軸７３、固定軸カバー７４を装着する。具体的には、固定軸カバー７４と一体の固定軸７３の外周にラインローラ７１を装着した状態で、固定軸７３の係止部７３ｂを支持部材７０の係止溝７０ｃに係止し、固定ボルト７７を締結することによってラインローラ７１、固定軸７３、固定軸カバー７４のユニットを支持部材７０に固定する。そして、第２ベール支持部材４２に代えて、第１バランス部材７２を第２ロータアーム３２の先端に相対移動不能に固定する。
【００４４】
このスピニングリールは、固定軸カバー７４は、固定軸７３の他端に支持部材７０と間隔を隔てて設けられ、ラインローラ７１取付側と逆側の端面が径方向外方に全周にわたって環状に突出した大径部７４ｂと、大径部７４ｂの先端が略球形状に突出して完結するように形成された突出部７４ａと、大径部７４ｂの基端から固定軸７３に装着されたラインローラ７１に向かって滑らかに縮径するように形成された傾斜部７４ｃとを有している。
【００４５】
ここでは、固定軸カバー７４は略球形状に形成された滑らかな突出部７４ａを有しているので、ベールを有する第２釣り糸案内機構４６の固定軸４３、固定軸カバー４４及びベール４５を取り外し、ベールレス型の第１釣り糸案内機構７６の固定軸７３、固定軸カバー７４を交換する場合でも、
釣り糸の巻き取りを阻害する方向や、あるいは固定軸カバー７４から糸落ちしてしまう方向に向くことがなくなる。したがって、ベールレス型の第１釣り糸案内機構７６の固定軸カバー７４をベールを有する第２釣り糸案内機構４６の固定軸カバー４４と交換した場合でも、釣り糸をスムーズに案内できる。
【００４６】
また、ここでは、固定軸カバー７４は、ラインローラ７１取付側と逆側の端面が径方向外方に突出した大径部７４ｂを有しているので、ラインローラ７１に案内された釣り糸が固定軸カバー７４側に移動しても、移動した釣り糸が径方向外方に突出した大径部７４ｂによって移動が規制されるので、固定軸カバー７４からの糸落ちをさらに防止することができる。
【００４７】
さらに、ここでは、固定軸カバー７４は、大径部７４ｂの基端からラインローラ７１に向かってテーパ状に滑らかに縮径した傾斜部７４ｃを有しているので、釣り糸をラインローラ７１にスムーズに案内できる。さらに、固定軸カバー７４は、略球形状に形成された滑らかな突出部７４ａを介して、釣り糸を大径部７４ｂに容易に引っ掛けることができる。
【００４８】
〔他の実施形態〕
（ａ）  前記実施形態では、ロータ３は、ベールレス型の第１釣り糸案内機構７６と、ベール４５を有する別の第２釣り糸案内機構４６とが交換可能であったが、ベールレス型の第１釣り糸案内機構７６のみ有するスピニングリールであってもよい。
【００４９】
（ｂ）  前記実施形態では、固定軸７３と固定軸カバー７４とが一体成形されていたが、図９に示すように、固定軸７３と固定軸カバー７４とを別体に形成してもよい。ここでは、固定軸７３と固定軸カバー７４とを異なる材質の部材で形成できるとともに、固定軸７３及び固定軸カバー７４の加工が容易になる。なお、固定軸７３と固定軸カバー７４とを別体に形成した場合には、第１釣り糸案内機構７６の固定軸７３と第２釣り糸案内機構４６の固定軸４３と共用化できる。
【００５０】
（ｃ）  前記実施形態では、第２ロータアーム３２の先端部に第１バランス部材７２のみを設けていたが、図６及び図７に示すように、ロータ３の円筒部３０の先端内周部に着脱自在に装着される第２バランス部材７５を設ける構成にしてもよい。あるいは、第１バランス部材７２に代えて、第２バランス部材７５のみを設ける構成にしてもよい。なお、第１釣り糸案内機構７６を含む第１ロータアーム３１側の重量を考慮して、第１バランス部材７２及び第２バランス部材７５の重量を適宜変更する必要がある。第２バランス部材７５は、ロータ３の円筒部３０の先端内周部に沿って装着される板状の板状部７５ａと、板状部７５ａの略中央部から直角に折れ曲がる取付部７５ｂとを有している。取付部７５ｂには貫通孔７５ｃが形成されており、ボルト部材７５ｄを先端側から円筒部３０の前壁３３にネジ止め固定されるようになっている。ここでは、リール全体の大型化を防止しながら、第１釣り糸案内機構７６を含む第１ロータアーム３１側の重量より軽くなりやすい第２ロータアーム３２側に第２バランス部材を設けることで、回転バランスを高く維持できる。
【図面の簡単な説明】
【００５１】
【図１】本発明の一実施形態が採用されたスピニングリールの側面図。
【図２】前記スピニングリールの側面断面図。
【図３】第１釣り糸案内機構の分解斜視図。
【図４】前記第１釣り糸案内機構の拡大側面断面図。
【図５】前記第１釣り糸案内機構の拡大側面図。
【図６】他の実施形態のロータの円筒部の拡大側面断面図。
【図７】他の実施形態の第２バランス部材の拡大斜視図。
【図８】前記第１釣り糸案内機構に代えてベールを有する別の第２釣り糸案内機構が装着されたスピニングリールの側面図。
【図９】他の実施形態の図４に相当する図。
【符号の説明】
【００５２】
１  ハンドル
２  リール本体
３  ロータ
４  スプール
５  ロータ駆動機構
６  オシレーティング機構
１５  スプール軸
３０  円筒部
３１  第１ロータアーム
３２  第２ロータアーム
４２  第２ベール支持部材
４３  固定軸
４４  固定軸カバー
４５  ベール
４６  第２釣り糸案内機構
７０  支持部材
７１  ラインローラ
７２  第１バランス部材
７３  固定軸
７４  固定軸カバー
７４ａ  突出部
７４ｂ  大径部
７４ｃ  傾斜部
７５  第２バランス部材
７６  第１釣り糸案内機構
【図１】
2009148203.tif 000003
【図２】
2009148203.tif 000004
【図３】
2009148203.tif 000005
【図４】
2009148203.tif 000006
【図５】
2009148203.tif 000007
【図６】
2009148203.tif 000008
【図７】
2009148203.tif 000009
【図８】
2009148203.tif 000010
【図９】
2009148203.tif 000011